(57)【特許請求の範囲】
【請求項１】
カッター刃（10）を支持するカッターケース（60）とケースホルダ（70）とからなり、前記カッターケース（60）を前記ケースホルダ（70）内に没入状態で保持する保持機構と、該保持機構を解除する解除機構と、外部の駆動機構と連動して前記カッター刃（10）を前記ケースホルダ（70）外に突出させるように繰出す繰出機構と、前記駆動機構を利用して前記繰出機構を操作するための開口部（59）を前記ケースホルダ（70）の側部に形成しているカッターカセット（100）であり、
前記繰出機構は、前記カッターケース（60）の側部に形成したラック（36）を含み、該ラック（36）は、前記ケースホルダ（70）の側部に形成した開口部（59）と並列して形成されていることを特徴とするカッターカセット（100）。
【請求項２】
前記繰出機構は、前記ケースホルダ（70）の側部に形成した第１ラック（46）と、前記カッターケース（60）の側部に形成した第２ラック（36）を含み、前記第１ラック（46）は、前記ケースホルダ（70）の側部に形成した開口部（59）と並列して形成され、また前記第２ラック（36）は、前記第１ラック（46）と並列して前記開口部（59）に望むように、前記第１ラック（46）よりも前記カッター刃（10）の中心寄りに形成されていることを特徴とする請求項１に記載のカッターカセット（100）。
【請求項３】
前記カッターケース（60）は外部に突出る第１突出部（22）を備え、前記ケースホルダ（70）は内部に突出る第２突出部（41）を備え、前記第１突出部（22）と前記第２突出部（41）を係合させることにより、前記保持機構を形成して、前記カッターケース（60）を没入状態で前記ケースホルダ（70）内に保持することを特徴とする請求項１または２に記載のカッターカセット（100）。
【請求項４】
前記ケースホルダ（70）は外部または内部に突出る第３突出部（42）を備え、前記第３突出部（42）を操作して前記第１突出部（22）を内部に押込み、前記第１突出部（22）と前記第２突出部（41）の係合を外すことにより、前記保持機構を解除する解除機構を形成することを特徴とする請求項３に記載のカッターカセット（100）。
【請求項５】
カッター刃（10）を支持するカッターケース（60）と、該カッターケース（60）を内部に移動自在に収容するケースホルダ（70）と、前記カッターケース（60）を没入状態で前記ケースホルダ（70）内に保持する保持機構と、前記カッター刃（10）を前記ケースホルダ（70）から突出させるように、前記ケースホルダ（70）から前記カッターケース（60）を繰出す繰出機構とからなるカッターカセット（100）であり、
前記保持機構は、前記カッターケース（60）と前記ケースホルダ（70）の各々と係合させたばね（1）であり、該ばね（1）の弾力を利用して、前記カッターケース（60）を没入状態で前記ケースホルダ（70）内に保持することを特徴とするカッターカセット（100）。
【請求項６】
カッター刃（10）を支持するカッターケース（60）と、該カッターケース（60）を内部に移動自在に収容するケースホルダ（70）と、前記カッターケース（60）を没入状態で前記ケースホルダ（70）内に保持する保持機構と、前記カッター刃（10）を前記ケースホルダ（70）から突出させるように、前記ケースホルダ（70）から前記カッターケース（60）を繰出す繰出機構とからなるカッターカセット（100）であり、
前記保持機構は、前記カッターケース（60）と前記ケースホルダ（70）の各々と係合させた磁石であり、該磁石の吸引力を利用して、前記カッターケース（60）を没入状態で前記ケースホルダ（70）内に保持することを特徴とするカッターカセット（100）。
【請求項７】
カッター刃（10）を有するカッターカセット（100）と、カッターカセット装着部（130）に装着された前記カッターカセット（100）に対して、前記カッター刃（10）を作動状態に移動させるように作用する駆動機構とを設けた裁断具（500）であり、
前記駆動機構は少なくとも1つ以上の歯車（86、96）から構成される機構であり、前記カッターカセット（100）の押込み操作に連動して、前記カッターカセット（100）内で前記カッター刃（10）を操出して、前記カッター刃（10）を作動状態に移動させることを特徴とする裁断具（500）。
【請求項８】
カッター刃（10）を有するカッターカセット（100）と、カッターカセット装着部（130）に装着された前記カッターカセット（100）に対して、前記カッター刃（10）を作動状態に移動させるように作用する駆動機構とを設けた裁断具（500）であり、
前記駆動機構は少なくとも1つ以上の歯車（96）から構成される機構であり、前記カッターカセット（100）の押込み操作後に用いられて、前記カッターカセット（100）内で前記カッター刃（10）を操出して、前記カッター刃（10）を作動状態に移動させることを特徴とする裁断具（500）。
【請求項９】
カッター刃（10）を有するカッターカセット（100）と、カッターカセット装着部（130）に装着された前記カッターカセット（100）に対して、前記カッター刃（10）を作動状態に移動させるように作用する駆動機構とを設けた裁断具（500）であり、
前記駆動機構は前記カッターカセット（100）側部に作動杆（109）を設けた機構であり、前記カッターカセット（100）の押込み操作に連動して、前記カッターカセット（100）内で前記カッター刃（10）を操出して、前記カッター刃（10）を作動状態に移動させることを特徴とする裁断具（500）。
【請求項１０】
カッター刃（10）を有するカッターカセット（100）と、カッターカセット装着部（130）に装着された前記カッターカセット（100）に対して、前記カッター刃（10）を作動状態に移動させるように作用する駆動機構とを設けた裁断具（500）であり、
前記駆動機構は前記裁断具（500）内部に設けたカム溝であり、前記カッターカセット（100）の押込み操作に連動して、前記カッターカセット（100）上に設けた前記カッター刃（10）と連動する突出部と係合して、前記カッターカセット（100）内で前記カッター刃（10）を操出して、前記カッター刃（10）を作動状態に移動させることを特徴とする裁断具（500）。
【発明の詳細な説明】
【０００１】
【発明の属する技術分野】
本発明は、内部にカッター刃を移動自在に備えるカッターカセット並びにこのカッターカセットを装着して使用する裁断具に関するものである。
【０００２】
【従来の技術】
用紙を所定の寸法に一度に断裁する事務機器として、様々な形状のカッター刃を使用する裁断具が知られている。これら裁断具の中には、裁断時での紙ズレを防ぐために、カッター刃として円形の回転刃を使用する裁断機がある。この裁断機には、ガイドレール上にスライダを備えているものが多い。また、ガイドレールとスライダを必要としない、紙、布、フェルト等の裁断用のより小型で携帯用の手動カッターもある。いずれの裁断具でも使用時にカッター刃を露出しなければならない。従来の裁断具では、操作時に露出するカッター刃に対して安全性を確保するために、様々な改良や考案が施されてきた。特に、使用上、カッター刃に手が触れないようにセーフティーカバー等を装備しているものがある。しかしながらカッター刃を裁断具に装着する際、このセーフティーカバー等を取外す作業を必要とするため、迅速なカッター刃の取替え操作が完備されていない裁断具もある。さらに、カッター刃の一部が露出している場合では交換作業に安全上の注意を必要とし、迅速に作業ができない場合もあった。
【０００３】
例えば、米国特許第５,９９６,４５９号は、ガイドレール上にスライダを備える裁断機において、該スライダをガイドレールに対して垂直に上向きに旋回自在に構成することで、より迅速な替刃交換作業を提案している。また、例えば、米国特許第５,３２２,００１号は、基盤上に複数の替刃を収容する載置部を形成し、かつガイドレール上のスライダを開閉自在に構成することで、迅速な替刃交換作業を提案している。さらに、特開２０００−４２９７９号公開に開示されたカッターカセットでは、カッター刃に直接触れることなく簡単に装着、交換作業ができるように、ハウジング内に収容されたカッター刃をハウジングに収納可能な保護板で覆うことで、必要に応じてカッター刃を覆ったり露呈したりすることを可能にし、カッター刃の取扱いを容易にしている。しかしながら、いずれの特許でも交換される替刃はむきだしのまま用意されており、使用者に対する安全性を完備しているわけではなかった。このように、裁断機の替刃交換作業に対する考案の歴史は大変古い反面、むきだしの替刃を直接交換するという視点に、長い間多くの発明、考案が拘束されてきた。
【０００４】
【発明が解決しようとする課題】
本発明は、以上の点に鑑みてなされたものであり、非使用時においてはカッター刃全体をカッターカセット内に収納して保持すると共に、使用時においては迅速にカッター刃を突出させるカッターカセット並びにこのカッターカセットを使用する裁断具を提供することを目的とする。
【０００５】
【課題を解決するための手段】
本発明は上記課題を解決するための手段として、請求項１に記載した発明は、カッター刃（10）を支持するカッターケース（60）とケースホルダ（70）とからなり、前記カッターケース（60）を前記ケースホルダ（70）内に没入状態で保持する保持機構と、該保持機構を解除する解除機構と、外部の駆動機構と連動して前記カッター刃（10）を前記ケースホルダ（70）外に突出させるように繰出す繰出機構と、前記駆動機構を利用して前記繰出機構を操作するための開口部（59）を前記ケースホルダ（70）の側部に形成しているカッターカセット（100）であり、前記繰出機構は、前記カッターケース（60）の側部に形成したラック（36）を含み、該ラック（36）は、前記ケースホルダ（70）の側部に形成した開口部（59）と並列して形成されていることを特徴とする。
この構成により、非作動状態では保持機構を使用してカッター刃（10）をカッターカセット（100）内部に収納し、かつ作動状態では解除機構と繰出機構を使用してカッターカセット（100）内部のカッター刃（10）を突出させることが可能となる。この際、開口部（59）を介して、外部の駆動機構を用いてカッターカセット（100）の繰出機構を操作できるようにするが、特に、この繰出機構をラック（36）を含むように構成することで、外部の歯車（86、96）との相互作用に基いて、迅速なカッター刃（10）の繰出操作を可能にする。このため、カッターカセット（100）は上記駆動機構を備えた裁断具（500）に用いられるのに適し、裁断具（500）のカッター刃（10）の交換時に、むきだしのカッター刃（10）に使用者の手が触れることがないように、迅速なカッター刃（10）の取替え操作を行うことが可能となる。
【０００６】
さらに、請求項２に記載した発明は、請求項１に記載の発明において、前記繰出機構は、前記ケースホルダ（70）の側部に形成した第１ラック（46）と、前記カッターケース（60）の側部に形成した第２ラック（36）を含み、前記第１ラック（46）は、前記ケースホルダ（70）の側部に形成した開口部（59）と並列して形成され、また前記第２ラック（36）は、前記第１ラック（46）と並列して前記開口部（59）に望むように、前記第１ラック（46）よりも前記カッター刃（10）の中心寄りに形成されていることを特徴とする。
この構成により、ケースホルダ（70）とカッターケース（60）の夫々を外部の歯車（86、96）との相互作用に基いて移動可能とすることで、ケースホルダ（70）の移動に対して内部のカッターケース（60）の移動を増加させるように、迅速なカッター刃（10）の繰出操作を行うことが可能となる。
【０００７】
さらに、請求項３に記載した発明は、請求項１または２に記載の発明において、前記カッターケース（60）は外部に突出る第１突出部（22）を備え、前記ケースホルダ（70）は内部に突出る第２突出部（41）を備え、前記第１突出部（22）と前記第２突出部（41）を係合させることにより、前記保持機構を形成して、前記カッターケース（60）を没入状態で前記ケースホルダ（70）内に保持することを特徴とする。
この構成により、カッターケース（60）に備えた第１突出部（22）とケースホルダ（70）に備えた第２突出部（41）の２つの突出部を用いて、前記保持機構を簡単に構成することが可能となる。
【０００８】
さらに、請求項４に記載した発明は、請求項３に記載の発明において、前記ケースホルダ（70）は外部または内部に突出る第３突出部（42）を備え、前記第３突出部（42）を操作して前記第１突出部（22）を内部に押込み、前記第１突出部（22）と前記第２突出部（41）の係合を外すことにより、前記保持機構を解除する解除機構を形成することを特徴とする。
この構成により、カッターケース（60）に備えた第１突出部（22）とケースホルダ（70）に備えた第３突出部（42）の２つの突出部を用いて、前記解除機構を簡単に構成することが可能となる。
【０００９】
さらに、請求項５に記載した発明は、カッター刃（10）を支持するカッターケース（60）と、該カッターケース（60）を内部に移動自在に収容するケースホルダ（70）と、前記カッターケース（60）を没入状態で前記ケースホルダ（70）内に保持する保持機構と、前記カッター刃（10）を前記ケースホルダ（70）から突出させるように、前記ケースホルダ（70）から前記カッターケース（60）を繰出す繰出機構とからなるカッターカセット（100）であり、前記保持機構は、前記カッターケース（60）と前記ケースホルダ（70）の各々と係合させたばね（1）であり、該ばね（1）の弾力を利用して、前記カッターケース（60）を没入状態で前記ケースホルダ（70）内に保持することを特徴とする。
この構成により、非作動状態では保持機構を使用してカッター刃（10）をカッターカセット（100）内部に収納し、かつ作動状態では繰出機構を使用してカッターカセット（100）内部のカッター刃（10）を突出させることが可能となる。この際、ばね（1）を用いて前記保持機構を簡単に構成することが可能となる。このカッターカセット（100）は裁断具（500）に対して着脱自在となるように構成されてもよく、この場合、裁断具（500）のカッター刃（10）の交換時に、むきだしのカッター刃（10）に使用者の手が触れることがないように、迅速なカッター刃（10）の取替え操作を行うことが可能となる。
【００１０】
さらに、請求項６に記載した発明は、カッター刃（10）を支持するカッターケース（60）と、該カッターケース（60）を内部に移動自在に収容するケースホルダ（70）と、前記カッターケース（60）を没入状態で前記ケースホルダ（70）内に保持する保持機構と、前記カッター刃（10）を前記ケースホルダ（70）から突出させるように、前記ケースホルダ（70）から前記カッターケース（60）を繰出す繰出機構とからなるカッターカセット（100）であり、前記保持機構は、前記カッターケース（60）と前記ケースホルダ（70）の各々と係合させた磁石であり、該磁石の吸引力を利用して、前記カッターケース（60）を没入状態で前記ケースホルダ（70）内に保持することを特徴とする。
この構成により、非作動状態では保持機構を使用してカッター刃（10）をカッターカセット（100）内部に収納し、かつ作動状態では繰出機構を使用してカッターカセット（100）内部のカッター刃（10）を突出させることが可能となる。この際、磁石を用いて前記保持機構を簡単に構成することが可能となる。このカッターカセット（100）は裁断具（500）に対して着脱自在となるように構成されてもよく、この場合、裁断具（500）のカッター刃（10）の交換時に、むきだしのカッター刃（10）に使用者の手が触れることがないように、迅速なカッター刃（10）の取替え操作を行うことが可能になる。
【００１１】
さらに、請求項７に記載した発明は、カッター刃（10）を有するカッターカセット（100）と、カッターカセット装着部（130）に装着された前記カッターカセット（100）に対して、前記カッター刃（10）を作動状態に移動させるように作用する駆動機構とを設けた裁断具（500）であり、前記駆動機構は少なくとも1つ以上の歯車（86、96）から構成される機構であり、前記カッターカセット（100）の押込み操作に連動して、前記カッターカセット（100）内で前記カッター刃（10）を操出して、前記カッター刃（10）を作動状態に移動させることを特徴とする。
この構成により、裁断具（500）のカッター刃（10）をカッターカセット（100）として提供することで、カッター刃（10）の交換時に、むきだしのカッター刃（10）に使用者の手が触れることがないように、迅速なカッター刃（10）の取替え操作を可能にする。また、駆動機構を利用して、カッターカセット装着部（130）内にカッターカセット（100）を押込むと同時に、カッターカセット（100）内のカッター刃（10）を速やかに移動させて裁断具（500）を使用状態にすることが可能となる。この際、駆動機構を構成する歯車（86、96）の特徴を任意に設定することで、カッターカセット（100）に対するカッター刃（10）の移動を所望なように定めることが可能となる。
【００１２】
さらに、請求項８に記載した発明は、カッター刃（10）を有するカッターカセット（100）と、カッターカセット装着部（130）に装着された前記カッターカセット（100）に対して、前記カッター刃（10）を作動状態に移動させるように作用する駆動機構とを設けた裁断具（500）であり、前記駆動機構は少なくとも1つ以上の歯車（96）から構成される機構であり、前記カッターカセット（100）の押込み操作後に用いられて、前記カッターカセット（100）内で前記カッター刃（10）を操出して、前記カッター刃（10）を作動状態に移動させることを特徴とする。
この構成により、裁断具（500）のカッター刃（10）をカッターカセット（100）として提供することで、カッター刃（10）の交換時に、むきだしのカッター刃（10）に使用者の手が触れることがないように、迅速なカッター刃（10）の取替え操作を可能にする。また、駆動機構を利用して、カッターカセット装着部（130）内にカッターカセット（100）を装着した後、カッターカセット（100）内のカッター刃（10）を速やかに移動させて裁断具（500）を使用状態にすることが可能となる。この際、駆動機構を構成する歯車（96）の特徴を任意に設定することで、カッターカセット（100）に対するカッター刃（10）の移動を所望なように定めることが可能となる。
【００１３】
さらに、請求項９に記載した発明は、カッター刃（10）を有するカッターカセット（100）と、カッターカセット装着部（130）に装着された前記カッターカセット（100）に対して、前記カッター刃（10）を作動状態に移動させるように作用する駆動機構とを設けた裁断具（500）であり、前記駆動機構は前記カッターカセット（100）側部に作動杆（109）を設けた機構であり、前記カッターカセット（100）の押込み操作に連動して、前記カッターカセット（100）内で前記カッター刃（10）を操出して、前記カッター刃（10）を作動状態に移動させることを特徴とする。
この構成により、裁断具（500）のカッター刃（10）をカッターカセット（100）として提供することで、カッター刃（10）の交換時に、むきだしのカッター刃（10）に使用者の手が触れることがないように、迅速なカッター刃（10）の取替え操作を可能にする。また、駆動機構を利用することで、カッターカセット装着部（130）内にカッターカセット（100）を押込むと同時に、カッターカセット（100）内のカッター刃（10）を速やかに移動させて裁断具（500）を使用状態にすることが可能となる。この際、駆動機構としてカッターカセット（100）側部に作動杆（109）を設けた機構を活用することで、簡単な構成から、カッターカセット（100）の裁断具（500）に対する押込みに連動して、カッター刃（10）を操出すことが可能となる。
【００１４】
さらに、請求項１０に記載した発明は、カッター刃（10）を有するカッターカセット（100）と、カッターカセット装着部（130）に装着された前記カッターカセット（100）に対して、前記カッター刃（10）を作動状態に移動させるように作用する駆動機構とを設けた裁断具（500）であり、前記駆動機構は前記裁断具（500）内部に設けたカム溝であり、前記カッターカセット（100）の押込み操作に連動して、前記カッターカセット（100）上に設けた前記カッター刃（10）と連動する突出部と係合して、前記カッターカセット（100）内で前記カッター刃（10）を操出して、前記カッター刃（10）を作動状態に移動させることを特徴とする。
この構成により、裁断具（500）のカッター刃（10）をカッターカセット（100）として提供することで、カッター刃（10）の交換時に、むきだしのカッター刃（10）に使用者の手が触れることがないように、迅速なカッター刃（10）の取替え操作を可能にする。また、駆動機構を利用することで、カッターカセット装着部（130）内にカッターカセット（100）を押込むと同時に、カッターカセット（100）内のカッター刃（10）を速やかに移動させて裁断具（500）を使用状態にすることが可能となる。この際、駆動機構として裁断具（500）内部に設けたカム溝を活用することで、簡単な構成から、カッターカセット（100）の裁断具（500）に対する押込みに連動して、カッター刃（10）を操出すことが可能となる。
【００１５】
本発明に係るカッターカセット及びこのカッターカセットを使用する裁断具は基本的には以上のように構成されるが、保持機構、解除機構、または繰出機構として、本請求項と同一目的を達成するさらなる別の機構を採用することは可能である。ただし、この場合カッターケースとケースホルダの形状は便宜実施形態に従って修正される。また、本発明に係るカッター刃はナイフ形状でもよく、また回転刃でもよい。また、本発明における裁断機能は、鎖線状の裁断、模様状の裁断、さらに筋のみ紙上に押すことを含む。また、これらカッター刃は収納するカッターカセットと共に、手動式に操作されてもよく、また自動式に操作されてもよい。また、本発明の駆動機構に係る歯車機構は、他複数の歯車機構とギアトレインを構成していてもよい。さらに、本発明に係るカッターカセットは、机上の裁断機のみに限定して使用される必要はない。この裁断具は、小型で携帯自在式の手動式カッターでもよい。さらに、本発明に係るカッターカセットは、単体で裁断操作を行うことも可能である。
【００１６】
【発明の実施の形態】
以下、本発明の実施の形態に係るカッターカセットについて、添付した図１〜図２７を参照して説明する。また、本発明の実施の形態に係る裁断具について、添付した図２８〜図３８を参照して説明する。尚、本発明で使用される用語は、以下のように規定される；
カッター刃１０        ：裁断機能を備える刃
カッターケース６０    ：カッター刃１０を直接支持する支持部であり、好適にはカッター刃１０を覆うケース
ケースホルダ７０      ：カッターケース６０を内部に収納して保持するケース
カッターカセット１００：少なくともカッター刃１０を備え、好適にはカッターケース６０、ケースホルダ７０、保持機構、及び繰出機構とから構成されるカッターカセット
裁断具５００          ：カッターカセット１００を装着して裁断作業を行う、裁断機及び手動カッターを含む裁断具
【００１７】
まず、本発明の実施の形態に係るカッター刃１０について、図１〜図３を参照して詳細に説明する。
本発明に係るカッターケース６０は、好適には、内部にカッター刃１０として回転刃１０を装着する（図１参照）。これは裁断時において、カッター刃１０の横ぶれを防ぐためである。ただし、使用される回転刃の種類は直線刃に限らない。例を挙げると、鎖線状に裁断するミシン目刃１０、筋のみを紙上に残す筋押し刃１０、様々な模様状に裁断するデザイン刃１０等の替刃を用意する（図２参照）。さらに、回転せずに裁断機能を行うナイフ等のカッター刃１０も備える（図３参照）。尚、ナイフの形状は図３に示される形状のみに限定されない。厳密には、これらカッター刃１０の形状は区別可能であるが、本発明に係るカッター刃１０は、これらの形状の差異に拘束されない。換言すれば、本発明でカッター刃１０を指すときは、様々な変形例からなる回転刃並びにナイフ等を抱合して指す。また、以下の説明でこのカッター刃１０を回転刃１０として説明する際も、説明中の回転刃１０は、他の形状のカッター刃１０と常に置換自在である。
【００１８】
次に、本発明の実施の形態に係る、上記カッター刃１０を直接収納するカッターケース６０について、図１〜図３を参照して詳細に説明する。
本発明の好適な実施の形態に従うカッターケース６０は、ケースホルダ７０の前後のケース対４０、５０内でスライド自在式に収納される（図１及び図３参照）。さらに、このカッターケース６０は上記カッター刃１０を前後のケース対２０、３０内に装着する（図１、図２、及び図３参照）。上述したように、本発明に従うカッターケース６０は、様々な種類のカッター刃１０を備え、これらカッター刃１０の形状の差異に従って、カッターケース６０の内部形状も微妙に変化する。
例えば、回転刃のように回転しながら裁断機能を行うカッター刃１０の場合では、カッター刃１０はカッターケース６０内で回転自在式に嵌合支持（図１参照）される。このとき、カッターケース６０は回転刃の円形状に沿う、収納用の浅い凹部３１を備える（図２参照）。またナイフのように突出して裁断機能を行うカッター刃１０の場合では、カッター刃１０は回転することなく嵌合支持される（図３参照）。このとき、カッターケース６０はナイフの輪郭に沿う収納用の浅い凹部３１’を備える。また、回転自在の回転刃と、回転せずに裁断を行うナイフとでは、収納の仕方も図示されるように異なる。このため、厳密に図２に従うカッターケース６０と図３に従うカッターケース６０とを区別することは可能であるが、本発明では両者に本質的な差異を認めない。換言すれば、使用されるカッター刃１０の回転運動の有無によるカッターケース６０の構造上の相違は、本発明の規定するカッターケース６０の範囲内にあり、両者は１つの発明上の概念に属する。尚、図２及び図３では、ボルトや軸１２（図１及び図６参照）等を省略しているが、軸１２については、図６の側面図並びに図１１の正面図を使用することにより後述される。
【００１９】
次に、本発明の第１の実施の形態に係るカッターカセット１００について、図１〜図１３を参照して詳細に説明する。
上述したように、本発明の好適な実施形態に係るカッターカセット１００は、カッターケース６０、ケースホルダ７０、保持機構、及び繰出機構とから構成される。図１に示されるように、カッターケース６０は、円形の回転刃１０と、該回転刃１０を内部に収納する前後のケース２０と３０から構成され、またケースホルダ７０は、該カッターケース６０をさらに内部に収める前後のケース４０と５０から構成される。但し、回転刃１０はカッターケース６０内部で軸１２と共に回転自在に保持され、またカッターケース６０はケースホルダ７０内で溝部５８に沿って長手方向に移動自在に収められる。また、好適には、ケースホルダ７０を構成する前後のケース４０と５０は、カッターケース６０を内部で長手方向にスライドさせることで回転刃１０の一部を外に突出せるように、回転刃１０が突出する反対側でネジを用いて螺合される。これら螺合箇所は各々４７ａ、４７ｂ、５７ａ、５７ｂの対に相当する（図１参照）。尚、上記ケースホルダ７０はネジによる螺合以外の方法を用いて固定されてもよい。
【００２０】
尚、本発明に係るカッターカセット１００では、機能上、カッターケース６０を省略することは可能である。この場合、回転刃１０を支持する軸１２（図１参照）がケースホルダ７０内で移動自在式に収納されるものとする。
【００２１】
さらに、図６に示されるように、回転刃１０を前後から回転自在に固定するカッターケース６０は、回転刃１０の中心軸に沿って前後に突出する円筒状突出部２８、３８を備える。これら円筒状突出部２８、３８はケースホルダ７０内部の溝部４８、５８内に保持されるように収納されることで位置決めされる。即ち、円筒状突出部２８、３８がケースホルダ７０の溝部４８、５８の上端に位置決めされるとき（図４の軸Ａ-Ａ参照）、回転刃１０はケースホルダ７０内に完全に収められ、また円筒状突出部２８、３８が縦長の溝部４８、５８の下端に位置決めされるとき（図５の軸Ａ’-Ａ’参照）、回転刃１０はケースホルダ７０内から一部のみ突出する状態となる。
【００２２】
本発明では、図４の正面図に示されるように、回転刃１０を没入状態でケースホルダ７０内に保持するための保持機構及びこの保持機構の解除機構を備える。ただし、実施形態によっては解除機構を必要としないものもある。これは、後述される繰出機構が解除機構を兼ねるためである。
本発明に係る第１の実施形態では、カッターカセット１００は回転刃１０の保持機構及び解除機構として、３つの突出部を構成する。具体的には、図１に示すように、この保持機構及び解除機構としてカッターケース６０は正面上部に外向きの第１突出部２２を長手方向に細長く切込まれた腕部２３の端部に備え、第１突出部２２上に所定の力を及ぼすことでカッターケース６０の内側の空洞部３４（図２参照）に反り返らせるようにしている。また図６に示されるように、ケースホルダ７０の前方ケース４０は、内部に突出する第２突出部４１と、外部に突出する第３突出部４２を備えており、第３突出部４２もまた長手方向に細長く切込まれた腕部４３の端部に備えられており（図１参照）、第３突出部４２上に所定の力を及ぼして、この第３突出部４２をケースホルダ７０の内側に反り返らせる。本発明に係る第１の実施形態では、第１突出部２２と第２突出部４１で保持機構を構成し、また、第１突出部２２と、第３突出部４２で解除機構を構成している。これら保持機構及び解除機構を構成する各突出部は、回転刃１０を内部に完全に収納する状態では、第１突出部２２は第２突出部４１の真上に配置され、第３突出部４２は第１突出部２２の直前に隣接して配置される（図６参照）。
【００２３】
このように第１突出部２２と第２突出部４１とを係合することで、カッターケース６０をケースホルダ７０内で位置決めして、回転刃１０を外部に突出しないように保持する（図６参照）。また、前記第１突出部２２の底面と前記第２突出部４１の上面は、各々互いに係合することで回転刃１０を保持できるよう、必要とされる表面処理を施されていてもよい。例えば、これらの係合面の摩擦抵抗を大きくしたり、他必要とする形状に仕上げることで、互いの係合状態をより強くすることは可能である。さらに、上記第１、第３突出部２２、４２を支える腕部２３、４３は、長手方向以外の方向に切込まれていてもよく、かつその輪郭は曲線状でもよい。これら突出部の大きさ、位置、個数は実施の形態に則して修正可能であり、この修正によって、本発明の内容が束縛されることはない。
【００２４】
ここで、前記第１〜第３突出部から構成した保持機構及び解除機構を使用する、カッターカセット１００内部での回転刃１０の繰出操作を、図４〜図９を参照して説明する。
図６に示されるように、第１突出部２２は第２突出部４１により下方から支えられる。このように第１突出部２２を保持することで、ケースホルダ７０内部でカッターケース６０を位置決めする。また、この時の配置関係は図４の正面図に該当する。ここでケースホルダ７０内部の回転刃１０の中心点は、横軸Ａ-Ａと長手軸Ｂ-Ｂの交差点上にある。このとき、図６に示すように、ケースホルダ７０内で、第３突出部４２を第１突出部２２と隣接して配置することにより、第１突出部２２と第３突出部４２は横軸Ｃ-Ｃ線上に対して直列して並ぶ。この時のカッターカセット１００の状態を、本発明の第１の実施形態では非作動状態として規定する。
【００２５】
また、図１に示されるように、第１突出部２２と第３突出部４２は各々長手方向に沿う細長い腕部２３、４３を有しており、これらの腕部２３、４３は前方から力を加えられると後方に反り返り（図７参照）、背後の中空部３４（図２参照）、４４（図６参照）内に各突出部２２、４２をそれぞれ逃がして収納する。従って、図７に示されるように、第３突出部４２上に所定の力Ｆを加えると、第３突出部４２は腕部４３が後方に反り返ることによって、第２突出部４１により保持されている第１突出部２２を玉突き状に後方に押す。このため、第１突出部２２が後方に反り返り中空部３４内に逃込むため、第１突出部２２と第２突出部４１との係合が外れるので、支えを失ったカッターケース６０は、ケースホルダ７０内で下方へ移動可能になる（図７参照）。
【００２６】
そして、図８に示すように、支えを失った回転刃１０の中心点は軸Ａ’-Ａ’まで下降できる。この位置は、カッターケース６０に形成した円筒状突出部２８、３８が、ケースホルダ７０に形成した溝部４８、５８の下端にまで下降して保持された時に対応する。このため、カッターケース６０内部に軸支された回転刃１０は、ケースホルダ７０下部の隙間から一部のみが突出する状態になる。この時のカッターカセット１００の状態を、本発明の第１の実施形態では作動状態として規定する。この場合、回転刃１０は一部が突出するのみであり、回転刃１０全体が露出することはない。また、この時のカッターカセット１００内部での回転刃１０の相対位置は、図５の正面図に示す通りである。
【００２７】
また、図６及び図７に示すように、回転刃１０の突出側において、ケースホルダ７０の前後ケース４０、５０の噛み合せをずらしている。即ち、前方のケース４０に対して後方のケース５０の方を下方に僅かに突出させて、回転刃１０を安定して回転させるようにしている。同様にして、回転刃１０を回転自在に保持するカッターケース６０においても、前方のケース２０に対して後方のケース３０の方を下方に僅かに突出させている。さらに、図１及び図９に示すように、ケースホルダ７０の上部に中空部４５と５５を形成しており、これら中空部は作動状態でのカッターカセット１００の定位置を保持するために使用される。
【００２８】
本発明では、上述されたように、回転刃１０をケースホルダ７０内から突出させるための繰出機構を備える。この繰出機構を実現するものとして、様々な形状がある。
まず、本発明の第１の実施形態に係る繰出機構について説明する。この繰出機構は、カッターケース６０をケースホルダ７０から突出させた作動状態に移動させる。この繰出機構は、カッターケース６０のケースホルダ７０に対する長手方向のスライド運動を確実で迅速なものにするために構成するものである。本発明に係る第１の実施形態では、この繰出機構はラック機構であり、かつ裁断具の歯車機構と噛合することで、ケースホルダ７０の直進移動に対する、内部のカッターケース６０の直進移動を増加して回転刃１０を突出させる。さらに、この繰出機構を採用することにより、回転刃１０の出没動作を一方向の押込み動作のみによって行い、かつ、左右各々のラック対を同期化させることによって回転刃１０の非作動状態と作動状態での位置決め操作のバランスを維持している。尚、多段式歯車機構、リンク機構、レバー機構、またはカム機構等、他様々な機構を、例えば作動杆を利用して、本発明に係る繰出機構として採用することは可能である。この場合には、カッターカセット１００側部の繰出機構として形成したラック対もまた便宜適切な他の駆動機構に合せる必要があるが、具体的には後述される。
【００２９】
図１に示すように、ケースホルダ７０は両側部に左右対称の第１ラック対４６を、カッターケース６０は同じく両側部に左右対称の第２ラック対３６を繰出機構として各々備える。これらラック対４６、３６はいずれも裁断具内の多段歯車、より好適には２段歯車８６、９６と噛合するように構成され、ラックの直進運動と２段歯車８６、９６の回転運動を互いに変換する。図１３を参照すると、ラック対４６と３６が直進駆動することにより、各々噛合する歯車８６と９６が同一方向に回転駆動する。このとき、各ラック対３６、４６が直進駆動することにより、第２ラック対３６と一体のカッターケース６０と第１ラック対４６と一体のケースホルダ７０もまた直進駆動する。ここで、第２ラック対３６と第１ラック対４６は、カッターケース６０のケースホルダ７０に対する長手方向のスライド運動を円滑に行うために、左右対称に同期化される。また、各々のラック対３６、４６及び歯車対８６、９６は、同一モジュール、同一圧力角度、及び同一ねじれ角度を有するのが好ましい。但し、好適な実施形態におけるねじれ角度は０で統一される。尚、表面処理等他の詳細についても同一に構成してもよい。さらに、統一されるモジュールや圧力角度は、いずれも工業規格に沿って決定されるのが好ましいが、特に日本国内の規格のみに限定される必要はない。
【００３０】
図１０に示すように、カッターケース６０とケースホルダ７０の両側部に備えられるラック対３６と４６は、長手方向に互いに一部重なり合うように平行に配置される。これは、カッターケース６０とケースホルダ７０の左右の側部でこれらのラック対３６、４６を駆動する、対応する多段歯車、より好適には２段歯車８６、９６を各々同一軸上にまとめて備えるためである。ここで図１に示すように、カッターケース６０のラック対３６は、ケースホルダ７０のラック対４６と比較してカッター刃１０の中心寄りに形成されている。また、好ましくは同一モジュールの下、歯車８６の歯数よりも歯車９６の歯数の方をより多く構成する。具体的には、同一モジュールの下、歯車８６と歯車９６の歯数比はほぼ２である。即ち、ケースホルダ７０の直進距離に対して、カッターケース６０の直進距離をほぼ２倍の比率で増加することにより、カッターケース６０に取付けられる回転刃１０を速やかに内部から外部に一部突出させる。尚、この比率は厳密に２.０に限定される必要はなく、１より大きい範囲から選択される。さらに、上記２つのラック対３６、４６は、左右対称に配置され、操作上必要とされる力を左右で均等に分散する。
【００３１】
ここで、図１３に示されるように、さらにケースホルダ７０の第１ラック対４６と噛合する歯車８６対を、本発明に係るカッターカセット１００を使用する裁断具の第３ラック対７６と噛合させてもよい。この第３ラック対７６は、カッターカセット１００を周囲から取囲むホルダ７１上に備えられる。このホルダ７１はカッターカセット１００のスライド移動用の通行口を図１３に示されるように備えるのが好ましい。また、ケースホルダ７０に取付けられる第１ラック対４６の移動距離をＬ１とすると、第３ラック対７６の移動距離は同一距離かつ反対方向のＬ１となる。また、回転刃１０を直接移動させる第２ラック対３６の移動距離Ｌ２は、常にケースホルダ７０と同一方向でかつＬ１より大きく、好適にはほぼＬ１の２倍である。
【００３２】
本発明の第１の実施形態では、ホルダ７１上に形成した第３ラック対７６を利用することで、回転刃１０の出没操作を、常に上方からの押込み動作のみによって行うことが可能になる。即ち、図１３に示されるように、カッターカセット１００を上方から下方に押込むと、ラック対４６、３６と噛合する歯車対８６、９６が同一方向に回転しかつ内部のカッターケース６０の下降距離がケースホルダ７０と比較して増加することで回転刃１０の一部を外部に突出させた作動状態に移動する。この場合、歯車対８６と噛合するホルダ７１上の第３ラック対７６がカッターカセット１００とは反対方向の上方に移動する。尚、軸９０は定位置に固定されている。
また、第３ラック７６対を備えるホルダ７１を上方から下方に押込むことにより、カッターカセット１００の作動状態を非作動状態に戻すことができる。即ち、第３ラック対７６の下方移動に対応して歯車対８６が逆方向に回転し、対応する軸９０が逆回転することによって、歯車対９６もまた逆回転し、それぞれ噛合するラック４６と３６とを上方移動させて回転刃１０を内部に収納しながらカッターカセット１００を非作動状態に戻す。尚、回転刃１０の収納時でも、突出時と同じく第２ラック対３６が第１ラック対４６と比較して増加された距離を進む。このようにして、常に上方からの押し込み操作のみによって、カッターカセット１００の非作動状態と作動状態を任意に選択することが可能になる。
【００３３】
さらに、上記実施形態では、２つのラック対３６、４６を利用するカッター刃１０の繰出操作について説明したが、単一のラック対のみを利用してカッター刃１０を繰出してもよい。図３に示すように、カッターケース６０側部にのみにラック対３６を形成し、ケースホルダ７０には開口部５９のみを形成する。即ち、このカッターカセット１００を裁断具に装着後、外部の歯車機構を使用することにより、カッター刃１０を突出させる。この場合、必ずしもカッター刃１０の繰出操作とカッターカセット１００の押込み操作は連動しない。
【００３４】
ここで、回転刃１０のカッターケース６０内での保持方法について説明する。図１１に示すように、回転刃１０を使用する実施形態では、回転刃１０は中心軸と同軸状の軸１２に六角形状の軸受１４を用いて軸支され、回転刃１０は中心にて、同六角形状の支持孔１３（図２参照）を構成して軸受１４に嵌合支持される。また、軸１２は両端部では円筒形状に形成され、前後の円筒状突出部２８及び３８内にて、滑らかに回転自在である（図６参照）。かつ、軸１２は回転刃１０を固定する位置にて六角形状に形成されることで、支持孔１３（図２参照）を介して、回転刃１０と一体に回転自在になる。尚、カッター刃１０が回転刃１０ではなく、回転せずに裁断機能を行うナイフ等である場合には（図３参照）、軸１２は省略されてもよい。
また、カッターケース６０は回転刃１０を前後から挟むようにして、２つの対のケース２０と３０を用いてネジで螺合される。各螺合箇所は各々符号２７と３７の対に示される通りである（図１１参照）。また、このカッターケース６０の背面図を図１２に示すと共に、前後の円筒状突出部２８及び３８を平面Ａ−Ａと平面Ｂ−Ｂの交差線を中心にして示している。しかしながら、これら円筒状突出部２８及び３８の形状は円筒形状のみに厳密に限定されなくてもよい。
【００３５】
また、ケースホルダ７０には、カッターケース６０の両側部の第２ラック対３６を裁断具の歯車９６と噛合させるために、ケースホルダ７０の両側部の一部に開口部５９（図１及び図１０参照）を形成しており、各々のラック対３６、４６は裁断具の歯車対９６、８６と直接噛合することが可能になる。本発明では、事務機器ではあるが、このカッターカセットを構成する２つのラック対を直接外部にさらすことで、手動での潤滑作業等を容易にすると共に、メンテナンス性を向上させている。尚、これらラック対３６、４６を本発明に係るカッターカセット１００からさらに、別体で着脱自在に固定することは可能である。
【００３６】
以上説明したように、第１の実施例では、保持機構及び解除機構として３つの突出部からなる構造例を示した。しかしながら、この保持機構としては他にばね、磁石、植毛等を使用する構造例もある。尚、これらの形態の場合、特に解除機構を必要としない。また、上記第１の実施例では、繰出機構としてラックと歯車からなる構造例を示した。しかしながら、この繰出機構としては他に様々な機構がある。具体的には、例えば作動杆を使用することにより、リンク機構、レバー機構、またはカム機構の内の少なくとも１つの外部機構を利用する機構が挙げられる。
以下、説明の重複を避けるために全ての変更例について記載せず、必要十分な範囲内にとどめて本発明に係る他の実施形態について説明する。以下で記載される変更例では、上記第１の実施例と比較すると次のように要約できる：
ａ）本発明に係る第２の実施例として、保持機構及び解除機構のみを弾性体を利用した構造に変更した実施例について説明する（図１４〜図１７参照）。
ｂ）本発明に係る第３の実施例として、保持機構及び解除機構を弾性体を利用した構造に変更し、かつ繰出機構として作動杆を利用した構造に変更した実施例について説明する（図１８〜図２１参照）。
ｃ）本発明に係る第４の実施例として、繰出機構のみをカッターカセット１００外部に設けた作動杆を利用する構造に変更した実施例について説明する（図２２〜図２４参照）。
ｄ）本発明に係る第５の実施例として、繰出機構のみをカッターカセット１００内部に設けた作動杆を利用する構造に変更した実施例について説明する（図２５〜図２７参照）。
また、作動杆の代わりにカッターカセット１００外面に突出部を設け、外部機構に形成するカム溝と係合させて、本発明に係るカッターカセット１００のカッター刃１０の繰出操作を行わせることも可能である。
また、ここで記載されない本発明に係る他の実施形態は、本発明の請求項の範囲内で、便宜同様にして活用されるものとする。
【００３７】
ここで、本発明の第２の実施の形態に係るカッターカセット１００について、添付した図１４〜図１７を参照して説明する。
図１４の正面図に示されるように、第２の実施形態でも同様にして、カッターカセット１００はカッターケース、ケースホルダ、保持機構、解除機構及び繰出機構とから構成される。ただし、この第２の実施形態では上記第１の実施形態と比較して、保持機構及び解除機構に係る部位が変更されている。具体的には、上記第１の実施形態に係る３つの突出部２２、４１、４２を、本発明に係る第２の実施形態では単一の弾性体１（図１４参照）に変更している。このため、構造上、より簡略化された形状に変形されている。具体的には、この弾性体１は所定の弾力を有するばねである。
【００３８】
ここで、変更された保持機構及び解除機構について説明する。
図１４に示すように、この保持機構及び解除機構として、カッターカセット１００は内部にばね１を装着する。このばね１はほぼ逆Ｖ字形状に配置され、１方（図１６の符号２参照）をカッターケース６０側に取り付け、そして他方（図１４の符号４参照）をケースホルダ７０側に取り付けることで、両者の間に常時弾力を及ぼす。このばねの弾力により、通常カッターケース６０はケースホルダ７０内部に引き込まれている。この時のカッターカセット１００の状態を、本発明の第２の実施形態では非作動状態として規定する。尚、図１４の正面図は図１６の側面図と対応する。また、本発明に係る第２の実施形態におけるカッターカセット１００の非作動状態を示す図１４の軸Ａ−Ａは、本発明に係る第１の実施形態におけるカッターカセット１００の非作動状態を示す図４の軸Ａ−Ａと対応する。
尚、カッター刃１０を没入状態でケースホルダ７０内に保持する際、ばね１の端部４は軸Ａ−Ａと平行な水平方向に配置し、このばね１の端部４と隣接してケースホルダ７０に空洞部３を形成する。
【００３９】
図１５に示すように、本発明に係る第２の実施形態でも、上述された第１の実施形態と同様にして回転刃１０を一部ケースホルダ７０から外に突出させる機能を有する。ただし、説明の重複を避けるため、ラックと歯車からなる繰出機構を用いた回転刃１０の繰出方法の説明については省略する。
上述されたように、ばね１は、カッターケース６０をケースホルダ７０内に没入状態で保持することを満足する弾力を有する。図１５に示すように、外部からばね１の有する所定の弾力より大きな力をカッターケース６０に作用した場合、カッターケース６０はケースホルダ７０内で下向きにスライド運動して、回転刃１０の一部をケースホルダ７０から外に出す。この際、ばね１のカッターケース６０側に固定される部位２が下方に下がり、ばね１はカッターケース６０の移動運動に従って、上下方向に圧縮される。このとき、ばね１の端部４は隣接するケースホルダ７０の空洞部３内に逃げ込む。この端部４は最初の軸Ａ―Ａと平行な水平位置から上向きに傾斜することになる。ばね１は、カッターケース６０を再度ケースホルダ７０の内部に引き込もうとして、所定の弾力をカッターケース６０とケースホルダ７０の両者間に作用させる。この時のカッターカセット１００の状態を、本発明の第２の実施形態では作動状態として規定する。尚、自明ではあるが、図１５の正面図は図１７の側面図と対応する。また、本発明に係る第２の実施形態におけるカッターカセット１００の作動状態を示す図１５の軸Ａ’−Ａ’は、本発明に係る第１の実施形態におけるカッターカセット１００の作動状態を示す図５の軸Ａ’−Ａ’と対応する。
【００４０】
従って、本発明に係る第２の実施形態では、ばね１の弾力を利用してカッターカセット１００の保持機構を構成する。同様にして、このばね１の弾力を利用することによって、該保持機構を解除する解除機構を構成する。
自明ではあるが、このばね１のカッターカセット１００内での位置や個数または形状を変更することは可能である。具体的には、このばね１は、上記保持機構及び解除機構を満足すればよい。
【００４１】
さらに、上記保持機構として、板ばねの代わりに磁石や植毛等を使用してもよい。具体的には、磁石または植毛をカッターケース６０外面及びケースホルダ７０内面に互いに向かい合うように用意し、非作動状態にてカッター刃１０をカッターカセット１００内部で吸引力または摩擦力を利用して突出させないように保持する。また、保持機構として板ばね、磁石、植毛等を使用する場合には、これら保持機構に対する解除機構は、外部の駆動機構を利用する繰出機構と併用される。
【００４２】
次に、本発明に係る第３の実施形態について、図１８〜図２１を参照して説明する。
この実施の形態では、上方から外力を加えることでカッターケース６０をケースホルダ７０から押出し、カッター刃１０を作動状態に移動させる。従って、カッターケース６０とケースホルダ７０は各々ラックを形成せず、より簡単な構造から構成される。ただし、上記外力は、作動杆９を経由して伝播する。
【００４３】
具体的には、ケースホルダ７０は開口部１８（図１９参照）を形成し、外部から外力を作動杆９を利用してケースホルダ７０内部のカッターケース６０に直接作用させる。カッターケース６０は外部から外力を受けるための突出部１９を形成し、突出部１９は開口部１８に沿ってケースホルダ７０内でスライド運動することで、突出部１９と一体のカッターケース６０を、ケースホルダ７０内部で同一方向にスライド運動させる。回転刃１０の中心が軸Ａ―Ａ上に並ぶカッターカセット１００の非作動状態では、好ましくは突出部１９と開口部１８とは並列し、滑らかに作動杆９を経由して外力を突出部１９上に作用させることを可能にする（図１８及び図２０参照）。
【００４４】
上記作動杆９を使用して外力を及ぼす形態としては、様々な形態がある。本発明に係る第３の実施の形態では、具体的には、図１８に示されるように、この作動杆９を符号７を中心に旋回自在に構成し、かつ突出部８を図示するように備える。この作動杆９を旋回させることにより、突出部８と突出部１９とを突き合わせ、この突出部８を利用してカッターケース６０上の突出部１９をケースホルダ７０内部に押込む。このため、カッターケース６０がケースホルダ７０内部で下方に移動して、回転刃１０が作動状態に移動する（図１９及び図２１参照）。
尚、この作動杆９は厳密に符号７付近にて旋回して作用する必要はない。またこの作動杆９は、旋回せずに、カッターケース６０の移動方向と平行にして、上下にスライド運動を行うことにより、突出部８と突出部１９とを突き合わせ、この突出部８を利用して突出部１９をケースホルダ７０内部に押込んでもよい。
また、上記繰出操作を終了させるために、この作動杆９を旋回前の状態に戻すことにより、突出部８と突出部１９との係合を外して終了操作を行う。本発明に係る第３の実施の形態では、カッターカセット１００内部に備えられるばね１がもとの状態に所定の弾力を利用して戻ることにより、この繰出操作の終了を行う。尚、本発明の第１の実施形態に係る保持及び解除機構では、この作動状態の終了操作は原理を異にする。
【００４５】
次に、本発明の第４の実施形態について、図２２〜図２４を参照して説明する。
上述されたように、この実施の形態では、保持機構及び解除機構として、第１の実施形態と同一の機構を採用している。このため、保持機構及び解除機構に関する説明は省略する。ただし、この実施の形態では繰出機構を変更している。具体的には、繰出機構としてカッターカセット１００の外側の両側部に作動杆１０５を隣接して配置する。以下、記載の重複を避けるため、この変更された繰出機構についてのみ説明する。
【００４６】
図２２に示されるように、この実施の形態では、作動杆１０５はカッターカセット１００の両側部で左右対称に配置されるのが好ましい。具体的には、作動杆１０５は符号１０１を中心にして直角に曲がり、かつ符号１０１を中心にして旋回自在である。また、作動杆１０５は一方の端部に繰出用の作動部１０２を備え、さらに他方の端部に操作部１０４を形成する。操作上、この作動杆１０５が符号１０１を中心にして旋回することにより、作動部１０２がケースホルダ７０内部のカッターケース６０と係合するようにしている。
このため、図２２に示されるように、ケースホルダ７０は両側部に開口部５９を形成し、ケースホルダ７０内部のカッターケース６０が直接外部に望むようにしている。さらに、カッターケース６０は両側部の開口部５９から外部に望む位置で、上記作動部１０２と係合するための溝部２６を左右対称に形成している。尚、図２２の正面図は、図２３の平面図と対応する。
また、上記作動部１０２と溝部２６との係合をより滑らかに行うために、作動部１０２は端部１０２’にて面取り処理を行うことで角を取り、また溝部２６は作動部１０２が滑らかに溝部２６内に没入するように、端部２６’にて角に丸みを形成するように工夫してもよい（図２２及び図２３参照）。
【００４７】
この作動杆１０５を利用した、カッターカセット１００の作動状態での正面図を図２４に示している。上述されたように、作動杆１０５は符号１０１付近にて旋回することにより、作動部１０２を開口部５９内を経由してカッターケース６０側部の溝部２６内に直接係合させる。この係合動作に連動して、カッターケース６０はケースホルダ７０内部で下方へ移動する。具体的には、回転刃１０の中心を軸Ａ−Ａ上から軸Ａ’−Ａ’上にまで降下して、カッターカセット１００を非作動状態から作動状態に移動させる。
この作動部１０２と溝部２６との係合を定位置で確保するために、裁断具５００内部に突出部１０３を形成してもよい。具体的には、作動杆１０５は作動部１０２とは反対側の端部の操作部１０４を、該突出部１０３と係合させることにより、カッターカセット１００を作動状態にて固定する。尚、この裁断具５００に関する詳細な説明は後述される。
【００４８】
次に、本発明の第５の実施形態について、図２５〜図２７を参照して説明する。
上述されたように、この実施の形態では保持機構及び解除機構として、第１の実施形態と同一の機構を採用している。このため、保持機構及び解除機構に関する説明は省略する。ただし、この実施の形態では繰出機構を変更している。具体的には、繰出機構としてカッターカセット１００の内側の両側部に作動杆を配置する。以下、記載の重複を避けるため、この変更された繰出機構についてのみ説明する。
【００４９】
図２５に示されるように、この実施の形態では、好ましくは作動杆１０９をカッターカセット１００の両側部に左右対称に配置する。具体的には、直線状の作動杆１０９を符号１０６を中心にして旋回自在に備える。またこの作動杆１０９の１方の端部に繰出操作用の作動部１０７を備える。この作動部１０７は作動杆１０９が符号１０６を中心にして旋回することにより、ケースホルダ７０内部のカッターケース６０の溝部２６と係合するようにしている。
このため、図２５に示されるように、ケースホルダ７０は両側部に開口部５９を形成し、ケースホルダ７０内部のカッターケース６０が直接外部と望むようにしている。このカッターケース６０は両側部の開口部５９から外部に望む位置で、上記作動部１０７と係合するための溝部２６を左右対称に形成している。尚、図２５の正面図は、図２６の平面図と対応する。またこの作動部１０７では、溝部２６への没入動作を滑らかにするために、面取り加工を施して角を取るのが好ましい（図２５参照）。
【００５０】
この作動杆１０９を利用したカッターカセット１００の作動状態を図２７に示している。上述されたように、作動杆１０９は符号１０６付近にて旋回することにより、作動部１０７を開口部５９を通りカッターケース６０側部の溝部２６内に係合させる。この係合動作に連動して、カッターケース６０はケースホルダ７０内部で下方移動する。
この作動部１０７と溝部２６との係合操作を行うために、作動杆１０９は作動部１０７と反対側の端部付近に操作部１０８を形成する（図２７参照）。具体的には、この操作部１０８を上下に動作させることにより、作動部１０７と溝部２６との係合操作を行う。この操作部１０８の上下移動の操作は、図１３に示したように、裁断具内にホルダ７１を形成することによって操作部１０８とホルダ７１とを係合させて、ホルダ移動と連動して行ってもよい。
【００５１】
他、本発明に係るカッターカセット１００に利用する駆動機構として、裁断具内部にカム溝を設けた機構がある。即ち、カッターカセット１００外部にカッター刃１０と連動する突出部を形成し、かつ裁断具内部にカム溝を形成して上記突出部を案内して、カッターカセット１００の裁断具への押込み操作に連動してカッター刃１０を繰出す機構を構成してもよい。
さらに、本発明に係るカッターカセット１００に利用する駆動機構として、カッターケース６０側にラック３６（図１または図３参照）の代わりに歯車を配置し、さらに裁断具内部に歯車機構９６（図１３参照）の代わりにラック機構を設けて両者を噛合させる機構がある。即ち、カッターカセット１００を裁断具に装着する際、裁断具内部に設けたラックによってカッターケース６０側に一体に設けた歯車を駆動して、ケースホルダ７０の移動距離に対してカッターケース６０の移動距離を増やして、カッター刃１０を繰出す機構を構成してもよい。
【００５２】
以上、説明したように、本発明に係るカッターカセット１００は、少なくともカッター刃１０を備え、好適にはカッターケース６０、ケースホルダ７０、保持機構、解除機構及び繰出機構とから構成される。保持機構として、突出部、ばね、磁石、植毛等を用いた係合がある。繰出機構として、ラック、歯車、リンク、レバー、またはカムを用いた機構がある。尚、解除機構は繰出機構と併用されてもよい。さらに、本発明に係るカッターカセット１００は、内部のカッター刃を繰出すために、特にカッターケース６０を必要としなくてもよい。即ち、ケースホルダ７０は内部に直接カッター刃をスライド自在に保持して、本発明に係る機能を行ってもよい。
このカッターカセット１００を用いて裁断機能を行う裁断具として、基盤上にレールとスライダを設けて裁断する裁断機、並びにより小型で携帯式の手動カッター等が挙げられる。以下、特に裁断機について説明を加えるが、本発明に係るカッターカセット１００を利用する形態は手動カッターにおいても同様にして行われる。
【００５３】
次に、本発明の実施の形態に係る裁断具について、添付した図２８〜図３８を参照して説明する。尚、この裁断具では、上記様々な実施形態の内、繰出機構として歯車とラックを用いた機構を、かつ保持及び解除機構として３つの突出部からなる機構を主眼にして説明する。しかしながら、繰出機構として、他リンク機構やレバー機構またはカム機構に係る作動杆や、またはカム溝等の外部機構の内の少なくとも１つをこの裁断具の内部機構として導入することは可能である。さらに、保持機構として、ばね、磁石、または植毛を利用する構造を代わりに採用することも可能である。ここでは説明の重複を避けるため一例のみを示し、他の機構はこの実施例にならうものとする。
【００５４】
図２８は、本発明の実施の形態に係る裁断具５００の正面図を示している。好適な実施の形態では、裁断用のカッター刃１０として回転刃１０をスライダ３００の中心軸Ｂ-Ｂ上に突出させて使用する。また、図２９に示すように、カッターカセットを装着するスライダ３００は、レール２００上の軸Ｇ-Ｇ上に直進して使用される。
図２８を参照すると、基盤２７０の一端側にレール２００の保持部２１０を設けてレール２００を保持し、さらに図３０の側面図に示すように、レール２００とスライダ３００の間にスライド部１７０及び１７４を設けてある。このスライド部１７０をレール２００に沿って挟持して移動することにより、スライド部１７０に装着されるスライダ３００をレール２００に沿って移動して、回転刃１０を回転させながら紙等の裁断を行う。レール２００の保持部２１０は、基盤２７０上にレール２００を保持するために、保持部２１０下部の突出部２２４を基盤２７０の側部２７４に係止させている。さらに、レール２００を保持する保持部２１０と基盤２７０の間にスプリング部材２５０を介在させて、レール２００をスプリング部材２５０の付勢力で付勢する。尚、基盤２７０上の紙を固定するための抑え板をレール２００の下部に備えてもよい。
【００５５】
図２９は、同スライダ３００の平面図を示している。図示されるように、スライダ３００上部には、カッターカセット１００を着脱自在に装着する装着部１３０を備えている。装着部１３０はトップカバー１４０の頂部に開口しているため、スライダ３００の内部に装着されるカッターカセット１００を作動時と非作動時の如何に係らず識別することができる。このように構成することにより、事務機器としてこの裁断具を使用する際、裁断具に取付けられる、例えば波刃、ミシン刃等、複数の異なる種類のカッター刃の種類を速やかに識別することができる。尚、使用するカッターカセット１００には上方からの識別用の色付や、または頂部に識別ラベル等を添付してもよい。
尚、好適な実施の形態では、図２９に示すように上記装着部１３０を上方から眺めて四方を囲む開口部として形成するが、他、上方から眺めて四方の内一方を切り開くように形成してもよい。具体例として、図３８の（Ａ）に示すように、装着部１３０をあり溝として形成してもよい。また、図３８の（Ｂ）に示すように、装着部１３０を一方の面に対して切り開くようにして形成してもよく、さらに、図３８の（Ｃ）に示すような形状に形成してもよい。他、カッターカセット１００装着用の機能を保持しながら、装着部１３０の形状に様々な変更を加えることは可能である。
【００５６】
図３０及び図３１は、本発明の実施の形態に係るスライダ３００の側面図を示している。図３０から理解されるように、レール２００中央の長手方向に走る溝部２０２の中に、スライド部１７０の係合部１７２がスライド自在に配置される。溝部２０２と係合部１７２は、軸線Ｅ-Ｅ上に整列して配置される。また、スライダ３００は下部の係合部１７４にて、レール２００の下部の突出部２０４と係合することで、スライダ３００の上下方向の位置決めを行っている。尚、他の機構によりスライダ３００をレール２００上に取付けてもよい。またカッターマット２８０を基盤２７０上の所定の場所に備えることで、カッター刃１０が直接基盤２７０に接触するのを防いでいる。また、トップカバー１４０とスライド部１７０の間にスプリング部材１８０を配置して、裁断時にトップカバー１４０を上方から下方に向って押圧することにより、スライダ３００を降下させて回転刃１０を紙に接触させるようにしている。
【００５７】
本発明では、裁断具５００のスライダ３００は、上記カッターカセット１００の使用を前提にして構成されている。以下、上記カッターカセット１００を内部に装着して使用するスライダ３００の内部構成を、図３２〜図３８を参照して説明する。
図３２は、本発明の第１の実施の形態に係る、スライダ３００の正面図を示している。但し、理解の明瞭化を図るために、図面を左右で分断し、回転刃１０等、必要箇所を透視的に示している。スライダ３００のカッターカセット１００の収容部には、カッターカセット１００の両側部と対向する部位に歯車、好適には２段歯車からなる歯車機構を備えている。ただし、当該カッターカセット１００が繰出機構として、他例えばレバー機構によって操作されるのであれば、対応する裁断具５００もまた、スライダ３００内に歯車機構の代わりにレバー機構を備える。具体例を挙げると、図１８〜図２４に示した作動杆に係る機構を備えてもよい。他、本発明に記載の請求項の範囲内で、カッターカセット１００内部に収納したカッター刃１０の繰出操作を行うためのカム溝等を備えていてもよい。
本発明に係る第１の実施形態では、カッターカセット１００を構成するケースホルダ７０は両側部に一対のラック対４６を備えることで２段歯車の歯車対８６と噛合し、かつ回転刃１０を保持するカッターケース６０は両側部に一対のラック対３６を備えることで２段歯車の歯車対９６と噛合する（図１３参照）。２段歯車を構成する歯車８６と９６及び軸９０は、一対のカッターカセット支持部１１０と１２０によって前後から挟まれるように位置決めされる（図３４参照）。図３２に示すように、カッターカセット支持部１１０と１２０は、各々符号１１２ａ、１１２ｂ、１２２ａ、及び１２２ｂの対の箇所でネジを用いて螺合される。このように軸９０を固定することで歯車対８６、９６は常に定位置に保持されて回転し、噛合するラック対３６、４６が上下に移動する。この歯車対８６、９６の中心点は、作動状態の回転刃１０の中心が位置する軸Ａ’―Ａ’上に配置される。また、回転刃１０の中心点がこの軸上に位置すると、回転刃１０の一部がカッターカセット１００の外に突出してスライダ３００を操作し紙を裁断することが可能になる。また、図面上の軸Ａ―Ａは、非作動状態における回転刃１０の中心位置を示している。尚、図３２の軸Ａ―Ａは図４の軸Ａ―Ａ（または図１４の軸Ａ―Ａ）と対応し、図３２の軸Ａ’―Ａ’は図５の軸Ａ’―Ａ’（または図１５の軸Ａ’―Ａ’）と対応する。
【００５８】
図３２及び図３３に示すように、カッターカセット支持部１１０及び１２０を上方から覆うようにトップカバー１４０が配置され、またこのトップカバー１４０下方にカッターカセット１００を取出すホルダ７１が上下方向にスライド自在に配置されており、このホルダ７１は通常トップカバー１４０を超えて上方移動することはない。ホルダ７１は２段歯車の歯車対８６と噛合して、歯車対８６を回転させることで、同軸９０上に保持される２段歯車の歯車対９６を同方向に回転させる。また、これら歯車対８６、９６を、図１３や図３４に示すように軸９０上に隣接して配置する。尚、これらの歯車は前後を逆にして構成することは可能である。また、これらの歯車は各々対応する軸と一体に成形されてもよく、またキー溝を備えることで取付けられてもよく、さらにまたインボリュートスプライン等によって取付けられてもよい。さらに、これら歯車は他の歯車とギアトレインを構成していてもよい。
【００５９】
ここで、図３５〜図３７を参照して、上記カッターカセット１００をスライダ３００の装着部１３０に装着する際の詳細な説明を行う。
図３５に示すように、回転刃１０を内部に収納する非作動状態で差込まれたカッターカセット１００は、前後のカッターカセット支持部１１０と１２０の間に形成した装着部１３０（図２９参照）から挿入される。カッターカセット支持部１１０はカッターカセット１００と対向する部位に、カッターカセット１００の第３突出部４２（図１参照）を内側に押し込むための突出部１６２を備えている。つまり、カッターカセット１００を装着部１３０よりスライダ３００内部に押し込むと、ケースホルダ７０の外面に突出している第３突出部４２は、最初はゆるやかに内側に狭まる斜面１６１上を案内される。次に、第３突出部４２はスライダ３００内部の突出部１６２によってケースホルダ７０内部に押圧されて押込まれる。この時ケースホルダ７０内部では、押込まれる第３突出部４２によって玉突き状にカッターケース６０の第１突出部２２とケースホルダ７０の第２突出部４１の係合が外される（図３５参照）。さらに、図３６に示すように、第３突出部４２はスライダ３００内部の突出部１６２によって内側に押込まれた後、急な斜面１６３上を案内されてもとの状態に戻る。この時、第１突出部２２は第２突出部４１の下方に下降することで、回転刃１０を作動状態に移動させる。従って、カッターカセット１００をスライダ３００の装着部１３０に上方から押込んで挿入することで、回転刃１０をカッターカセット１００の外部に連動して突出させることが可能になる。このため、本発明はカッター刃をカッターカセット内に完全に収納することで安全性を向上させ、さらに、替刃交換作業を上方からの押込み操作のみによって行うことで操作性を飛躍的に向上する。従って、従来、一般的に替刃作業としてカッター刃を一部むきだしのまま、手間のかかる操作によって行っていたのに対して、本発明はこれら不完全な安全性と手間のかかる操作性の問題に対して有効に対応する。
また、裁断具として手動カッターを用いる場合では、カッターカセットの裁断具への押込み操作とカッター刃の繰出操作を連動しなくてもよい。具体例を１つ挙げると、図３に示すカッターカセット１００を用いる場合では、ケースホルダ７０の側部には繰出機構を形成せずに、内部のカッターケース６０の側部にのみ繰出機構を形成する。このため、第１段階として、カッターカセット１００を裁断具内に装着し、第２段階として、裁断具に設ける駆動機構を利用してカッターケース６０の繰出機構を操作してカッター刃１０を繰出してもよい。
尚、図３５に示されるスライダ３００内部の突出部１６２によるカッターカセット１００に対する押圧は、図７に示された前述の力Ｆを満足する。さらに、カッターカセット１００の保持機構及び解除機構がばね１（図１４参照）を用いた弾性体等によって形成される場合では、カッター刃１０を作動状態に移動させるために、スライダ３００内部の突出部１６２による、カッターカセット１００に対する押圧の代わりに、繰出機構のみを利用して行われる。
【００６０】
カッターカセット１００が作動状態に移動した際、確実に回転刃１０を裁断用に使用するために、カッターカセット１００を定位置で固定する必要がある。このため、図２９及び図３７に示すように、本発明の実施の形態に係るスライダ３００は、トップカバー１４０の頂部に、装着部１３０と隣接してカッターカセットストッパ１５０を備えている。このカッターカセットストッパ１５０は装着部１３０に向いスライド自在で、かつ装着部１３０に面する側部上に突出部１５５を備える。つまり、カッターカセット１００を装着部１３０に押し込む前では、カッターカセットストッパ１５０は装着部１３０から一定距離を置いて離れており、カッターカセット１００を装着部１３０内に障害なく滑らかに挿入させることを可能にする。そして、カッターカセット１００をスライダ３００内部に押込み、作動状態に移動して回転刃１０を突出させた後、図３７に示されるように、カッターカセットストッパ１５０を装着部１３０に向けてスライドさせて、突出部１５５をカッターカセット１００正面上部の中空部４５、５５内に挿入する。このため、カッターカセット１００は作動状態で位置決めされたまま保持され、安定した状態で裁断作業を行うことが可能になる。本発明の実施の形態に係るカッターカセットストッパ１５０は、頂面にスライド操作用の複数の浅い溝部１５２を構成して、手動によるスライド操作性を向上させている。尚、他の適切な部材を使用することで、操作性の向上を図ることは可能である。また、カッターカセットストッパ１５０は、カッターカセット１００の着脱に応じて手動的に操作されてもよく、また自動機構的に操作されてもよい。
さらに、このカッターカセットストッパ１５０は旋回させて使用してもよい。特に、図１８に示されるように、カッターカセット１００を裁断具の作動杆９を用いて操作する場合、この作動杆９をカッターカセットストッパ１５０の代わりに使用してもよい。
【００６１】
また、カッターカセット１００の作動状態から非作動状態への移動は、上記操作と逆の操作をすることで行われる。図３０に示すように、第３ラック対７６を左右に備えるホルダ７１の背面には、ラックレバー７２が備えられている。このラックレバー７２は、ホルダ７１の側面に直交して背面から外方に突出しており、操作性を向上してある。このラックレバー７２をさらに操作しやすくするために、例えばグリップしやすい形状に修正したりすることは可能である。ラックレバー７２は、回転刃１０が作動状態にある時には、カッターカセット１００の押込操作に伴って、上方位置に移動されており、ラックレバー７２を下方に押込むことで、ラックレバー７２の第３ラック対７６と噛合する歯車対８６を逆回転させて、カッターケース６０をケースホルダ７０内に没入させると同時に、カッターカセット１００を上昇させて取出すことができる。この場合、前記カセットストッパ１５０は外されている。
【００６２】
また、基盤２７０には、複数のカッターカセット１００を収容するカッターカセット載置部（図示略）を形成してもよい。これは、裁断具５００に使用される複数の種類のカッター刃１０を備えるカッターカセット１００を迅速に取出し、交換可能にするためである。尚、このカッターカセット載置部を基盤２７０から取外し可能に構成することは可能である。重複するが、本発明に係る裁断具はスライダ３００のトップカバー１４０の装着部１３０にカッターカセット１００を装着した状態で、カッター刃１０の種類を確認することができるので、使用されるカッター刃１０を迅速に識別することができる。このため複数のカッターカセット１００を近傍に配置することで、さらなる操作性を図っている。
【００６３】
【発明の効果】
本発明は以上説明したように構成したので、請求項１に記載した発明によれば、非作動状態では保持機構を使用してカッター刃（10）をカッターカセット（100）内部に収納し、かつ作動状態では解除機構と繰出機構を使用してカッターカセット（100）内部のカッター刃（10）を突出させることが可能となる。この際、開口部（59）を介して、外部の駆動機構を用いてカッターカセット（100）の繰出機構を操作できるようにするが、特に、この繰出機構をラック（36）を含むように構成することで、外部の歯車（86、96）との相互作用に基いて、迅速なカッター刃（10）の繰出操作を可能にする。このため、カッターカセット（100）は上記駆動機構を備えた裁断具（500）に用いられるのに適し、裁断具（500）のカッター刃（10）の交換時に、むきだしのカッター刃（10）に使用者の手が触れることがないように、迅速なカッター刃（10）の取替え操作を行うことが可能となる。
【００６４】
請求項２に記載した発明によれば、請求項１に記載した発明の奏する効果に加え、ケースホルダ（70）とカッターケース（60）の夫々を外部の歯車（86、96）との相互作用に基いて移動可能とすることで、ケースホルダ（70）の移動に対して内部のカッターケース（60）の移動を増加させるように、迅速なカッター刃（10）の繰出操作を行うことが可能となる。
【００６５】
請求項３に記載した発明によれば、請求項１または２に記載した発明の奏する効果に加え、カッターケース（60）に備えた第１突出部（22）とケースホルダ（70）に備えた第２突出部（41）の２つの突出部を用いて、前記保持機構を簡単に構成することが可能となる。
【００６６】
請求項４に記載した発明によれば、請求項３に記載した発明の奏する効果に加え、カッターケース（60）に備えた第１突出部（22）とケースホルダ（70）に備えた第３突出部（42）の２つの突出部を用いて、前記解除機構を簡単に構成することが可能となる。
【００６７】
請求項５に記載した発明によれば、非作動状態では保持機構を使用してカッター刃（10）をカッターカセット（100）内部に収納し、かつ作動状態では繰出機構を使用してカッターカセット（100）内部のカッター刃（10）を突出させることが可能となる。この際、ばね（1）を用いて前記保持機構を簡単に構成することが可能となる。このカッターカセット（100）は裁断具（500）に対して着脱自在となるように構成されてもよく、この場合、裁断具（500）のカッター刃（10）の交換時に、むきだしのカッター刃（10）に使用者の手が触れることがないように、迅速なカッター刃（10）の取替え操作を行うことが可能となる。
【００６８】
請求項６に記載した発明によれば、非作動状態では保持機構を使用してカッター刃（10）をカッターカセット（100）内部に収納し、かつ作動状態では繰出機構を使用してカッターカセット（100）内部のカッター刃（10）を突出させることが可能となる。この際、磁石を用いて前記保持機構を簡単に構成することが可能となる。このカッターカセット（100）は裁断具（500）に対して着脱自在となるように構成されてもよく、この場合、裁断具（500）のカッター刃（10）の交換時に、むきだしのカッター刃（10）に使用者の手が触れることがないように、迅速なカッター刃（10）の取替え操作を行うことが可能になる。
【００６９】
請求項７に記載した発明によれば、裁断具（500）のカッター刃（10）をカッターカセット（100）として提供することで、カッター刃（10）の交換時に、むきだしのカッター刃（10）に使用者の手が触れることがないように、迅速なカッター刃（10）の取替え操作を可能にする。また、駆動機構を利用して、カッターカセット装着部（130）内にカッターカセット（100）を押込むと同時に、カッターカセット（100）内のカッター刃（10）を速やかに移動させて裁断具（500）を使用状態にすることが可能となる。この際、駆動機構を構成する歯車（86、96）の特徴を任意に設定することで、カッターカセット（100）に対するカッター刃（10）の移動を所望なように定めることが可能となる。
【００７０】
請求項８に記載した発明によれば、裁断具（500）のカッター刃（10）をカッターカセット（100）として提供することで、カッター刃（10）の交換時に、むきだしのカッター刃（10）に使用者の手が触れることがないように、迅速なカッター刃（10）の取替え操作を可能にする。また、駆動機構を利用して、カッターカセット装着部（130）内にカッターカセット（100）を装着した後、カッターカセット（100）内のカッター刃（10）を速やかに移動させて裁断具（500）を使用状態にすることが可能となる。この際、駆動機構を構成する歯車（96）の特徴を任意に設定することで、カッターカセット（100）に対するカッター刃（10）の移動を所望なように定めることが可能となる。
【００７１】
請求項９に記載した発明によれば、裁断具（500）のカッター刃（10）をカッターカセット（100）として提供することで、カッター刃（10）の交換時に、むきだしのカッター刃（10）に使用者の手が触れることがないように、迅速なカッター刃（10）の取替え操作を可能にする。また、駆動機構を利用することで、カッターカセット装着部（130）内にカッターカセット（100）を押込むと同時に、カッターカセット（100）内のカッター刃（10）を速やかに移動させて裁断具（500）を使用状態にすることが可能となる。この際、駆動機構としてカッターカセット（100）側部に作動杆（109）を設けた機構を活用することで、簡単な構成から、カッターカセット（100）の裁断具（500）に対する押込みに連動して、カッター刃（10）を操出すことが可能となる。
【００７２】
請求項１０に記載した発明によれば、裁断具（500）のカッター刃（10）をカッターカセット（100）として提供することで、カッター刃（10）の交換時に、むきだしのカッター刃（10）に使用者の手が触れることがないように、迅速なカッター刃（10）の取替え操作を可能にする。また、駆動機構を利用することで、カッターカセット装着部（130）内にカッターカセット（100）を押込むと同時に、カッターカセット（100）内のカッター刃（10）を速やかに移動させて裁断具（500）を使用状態にすることが可能となる。この際、駆動機構として裁断具（500）内部に設けたカム溝を活用することで、簡単な構成から、カッターカセット（100）の裁断具（500）に対する押込みに連動して、カッター刃（10）を操出すことが可能となる。
【図面の簡単な説明】
【図１】図１は、本発明の第１の実施形態に係る、回転刃を備えるカッターカセットの組付け図を示す斜視図である。
【図２】図２は、本発明の第１の実施形態に係るカッターケースの様々なカッター刃を装着するときの組付け図を示す斜視図である。
【図３】図３は、本発明の第１の実施形態に係る、ナイフ状のカッター刃を備えるカッターカセットの組付け図を示す斜視図である。
【図４】図４は、本発明の第１の実施形態に係るカッターカセットを中心軸Ｂ-Ｂ線で左右に分断して示す、非作動状態でのカッターカセットの正面図である。
【図５】図５は、本発明の第１の実施形態に係るカッターカセットを中心軸Ｂ-Ｂ線で左右に分断して示す、作動状態でのカッターカセットの正面図である。
【図６】図６は、本発明の第１の実施形態に係る非作動状態でのカッターカセットの断面図である。
【図７】図７は、本発明の第１の実施形態に係るカッターカセットを、非作動状態から作動状態へ移動させるカッターカセットの側面図である。
【図８】図８は、本発明の第１の実施形態に係るカッターカセットを、作動状態に移動させた状態を示すカッターカセットの側面図である。
【図９】図９は、本発明の第１の実施形態に係る作動状態でのカッターカセットの側面図であり、中心軸Ｂ-Ｂ線での断面図である。
【図１０】図１０は、本発明の第１の実施形態に係る非作動状態でのカッターカセットの側面図である。
【図１１】図１１は、本発明の第１の実施形態に係るカッターカセットを、中心軸Ｂ-Ｂ線で左右に分断して示すカッターケースの正面図である。
【図１２】図１２は、本発明の第１の実施形態に係るカッターケースの背面図である。
【図１３】図１３は、本発明の第１の実施形態に係るカッターカセットに、外部のラックと歯車機構からなる駆動機構を係合させた状態を示す斜視図である。
【図１４】図１４は、本発明の第２の実施形態に係るカッターカセットを中心軸Ｂ-Ｂ線で左右に分断して示す、非作動状態でのカッターカセットの正面図である。
【図１５】図１５は、本発明の第２の実施形態に係るカッターカセットを中心軸Ｂ-Ｂ線で左右に分断して示す、作動状態でのカッターカセットの正面図である。
【図１６】図１６は、本発明の第２の実施形態に係る非作動状態でのカッターカセットの断面図である。
【図１７】図１７は、本発明の第２の実施形態に係る作動状態でのカッターカセットの断面図である。
【図１８】図１８は、本発明の第３の実施形態に係るカッターカセットを中心軸Ｂ-Ｂ線で左右に分断して示す、非作動状態でのカッターカセットの正面図である。
【図１９】図１９は、本発明の第３の実施形態に係るカッターカセットを中心軸Ｂ-Ｂ線で左右に分断して示す、作動状態でのカッターカセットの正面図である。
【図２０】図２０は、本発明の第３の実施形態に係る非作動状態でのカッターカセットの断面図である。
【図２１】図２１は、本発明の第３の実施形態に係る作動状態でのカッターカセットの断面図である。
【図２２】図２２は、本発明の第４の実施形態に係るカッターカセットを中心軸Ｂ-Ｂ線で左右に分断して示す、非作動状態でのカッターカセットの正面図である。
【図２３】図２３は、本発明の第４の実施形態に係るカッターカセットを中心軸Ｂ-Ｂ線で左右に分断して示す、非作動状態でのカッターカセットの平面図である。
【図２４】図２４は、本発明の第４の実施形態に係るカッターカセットを中心軸Ｂ-Ｂ線で左右に分断して示す、作動状態でのカッターカセットの正面図である。
【図２５】図２５は、本発明の第５の実施形態に係るカッターカセットを中心軸Ｂ-Ｂ線で左右に分断して示す、非作動状態でのカッターカセットの正面図である。
【図２６】図２６は、本発明の第５の実施形態に係るカッターカセットを中心軸Ｂ-Ｂ線で左右に分断して示す、非作動状態でのカッターカセットの平面図である。
【図２７】図２７は、本発明の第５の実施形態に係るカッターカセットを中心軸Ｂ-Ｂ線で左右に分断して示す、作動状態でのカッターカセットの正面図である。
【図２８】図２８は、本発明の第１の実施形態に係る裁断具を一部断面で示す正面図である。
【図２９】図２９は、本発明の第１の実施形態に係るカッターカセットを使用する裁断具の平面図である。
【図３０】図３０は、本発明の第１の実施形態に係るカッターカセットを使用する裁断具の側面図をスライダ部での断面と共に示す図である。
【図３１】図３１は、本発明の第１の実施形態に係るカッターカセットを使用する裁断具の側面図である。
【図３２】図３２は、図２８に示す裁断具のスライダにカッターカセットを装着した状態を、中央にて分断して示した図である。
【図３３】図３３は、図３２に示すスライダの背面図を左右で分断して示した図である。
【図３４】図３４は、図３２に示すスライダの平面図を左右で分断して示した図である。
【図３５】図３５は、図３２に示すスライダの側面図のカッターカセット挿入時における断面図である。
【図３６】図３６は、図３２に示すスライダの側面図のカッターカセット装着時における断面図である。
【図３７】図３７は、図３２に示すスライダの側面図のカセットストッパ取付位置を示す断面図である。
【図３８】図３８は、図２９に示すスライダの装着部の他の形態を（Ａ）、（Ｂ）、（Ｃ）の３形態に分けて示す平面図である。
【符号の説明】
１          ばね
１０        カッター刃
２２        第１突出部
３６        第２ラック対
４１        第２突出部
４２        第３突出部
４６        第１ラック対
６０        カッターケース
７０        ケースホルダ
７６        第３ラック対
１００      カッターカセット
１３０      装着部
２００      レール
３００      スライダ
５００      裁断具
【図１】
0003619993.tif 000002
【図２】
0003619993.tif 000003
【図３】
0003619993.tif 000004
【図４】
0003619993.tif 000005
【図５】
0003619993.tif 000006
【図６】
0003619993.tif 000007
【図７】
0003619993.tif 000008
【図８】
0003619993.tif 000009
【図９】
0003619993.tif 000010
【図１０】
0003619993.tif 000011
【図１１】
0003619993.tif 000012
【図１２】
0003619993.tif 000013
【図１３】
0003619993.tif 000014
【図１４】
0003619993.tif 000015
【図１５】
0003619993.tif 000016
【図１６】
0003619993.tif 000017
【図１７】
0003619993.tif 000018
【図１８】
0003619993.tif 000019
【図１９】
0003619993.tif 000020
【図２０】
0003619993.tif 000021
【図２１】
0003619993.tif 000022
【図２２】
0003619993.tif 000023
【図２３】
0003619993.tif 000024
【図２４】
0003619993.tif 000025
【図２５】
0003619993.tif 000026
【図２６】
0003619993.tif 000027
【図２７】
0003619993.tif 000028
【図２８】
0003619993.tif 000029
【図２９】
0003619993.tif 000030
【図３０】
0003619993.tif 000031
【図３１】
0003619993.tif 000032
【図３２】
0003619993.tif 000033
【図３３】
0003619993.tif 000034
【図３４】
0003619993.tif 000035
【図３５】
0003619993.tif 000036
【図３６】
0003619993.tif 000037
【図３７】
0003619993.tif 000038
【図３８】
0003619993.tif 000039